(57)【要約】【課題】  ボタンのプッシュ操作で吐水される湯水の吐水形態を交互に切替えることができ、さらに湯水の流量調節を素早く行なうことができる吐水装置を提供する。【解決手段】  ボタン１３のプッシュ操作で吐水される湯水の吐水形態を第１通水孔１４からの吐水と第２通水孔１５からの吐水とに交互に切替えるための切替部材Ａを設けた吐水装置において、前記切替部材Ａは各通水孔１４，１５から吐水される湯水の流量を調節する流量調節部材Ｂを設け、この流量調節部材Ｂを前記ボタン１３と連繋させ、ボタン１３の操作により湯水の吐水形態の切替えと流量調節とを行なうようにした。【選択図】  図２
2008274634.tif 000002
【特許請求の範囲】
【請求項１】
ボタンのプッシュ操作で吐水される湯水の吐水形態を第１通水孔からの吐水と第２通水孔からの吐水とに交互に切替えるための切替部材を設けた吐水装置において、前記切替部材は各通水孔から吐水される湯水の流量を調節する流量調節部材を設け、この流量調節部材を前記ボタンと連繋させ、ボタンの操作により湯水の吐水形態の切替えと流量調節とを行なうようにしたことを特徴とする吐水装置。
【請求項２】
前記切替部材はボタンをプッシュ操作するごとに湯水が吐水される流路を第１通水孔又は第２通水孔の何れかに交互に切替え、ボタンを回転させることで各通水孔から吐水される湯水の流量が調節されるようにしたことを特徴とする請求項１記載の吐水装置。
【発明の詳細な説明】
【技術分野】
【０００１】
この発明は、キッチン、洗面化粧台、浴室等で使用される吐水装置に係り、特に、ボタンのプッシュ操作により吐水される湯水の吐水形態を第１通水孔又は第２通水孔等、複数の吐水形態のうちの何れかに切替えられるようにした吐水装置に関するものである。
【背景技術】
【０００２】
従来、この種の吐水装置としては例えば特許文献１があり、この特許文献１の吐水装置では、切替部材と連繋したボタンのプッシュ操作により、湯水の吐水形態を直流吐水又はシャワー散水の何れかに交互に切替えられるようにしていた。このように吐水装置が単一のボタンのプッシュ操作により湯水の吐水形態を切替えることができると、例えば吐水装置に直流吐水用のボタンとシャワー散水用のボタンとを別々に設けたものと比較してコンパクトとすることができるうえ、単一のボタンのみをプッシュすることで湯水の吐水形態を切替えることができ、操作するボタンを間違えることがなく、操作性が良好となるものである。
【０００３】
【特許文献１】特開２００５−１６０３２号公報
【発明の開示】
【発明が解決しようとする課題】
【０００４】
ところが、特許文献１の吐水装置においては、湯水の吐水形態の切替えはボタンをプッシュする操作で行なうことができるが、吐水される湯水の流量調節はこのボタンで行なうことができず、流量調節を行なうには湯水混合水栓の操作レバーを操作する必要がある。この場合、吐水装置のボタンと湯水混合水栓の操作レバーとは離れた位置に設けられているため、吐水形態の切替えと吐水流量の調節とを素早く行なうことができず、吐水装置の利用者にとっては煩わしいものであった。
【０００５】
本発明は、このような従来の技術に存在する問題点に着目してなされたものであり、その目的は、ボタンのプッシュ操作で吐水される湯水の吐水形態を交互に切替えることができ、さらに湯水の流量調節を素早く行なうことができる吐水装置を提供することにある。
【課題を解決するための手段】
【０００６】
上記課題を達成するために請求項１に記載の発明では、ボタンのプッシュ操作で吐水される湯水の吐水形態を第１通水孔からの吐水と第２通水孔からの吐水とに交互に切替えるための切替部材を設けた吐水装置において、前記切替部材は各通水孔から吐水される湯水の流量を調節する流量調節部材を設け、この流量調節部材を前記ボタンと連繋させ、ボタンの操作により湯水の吐水形態の切替えと流量調節とを行なうようにしたものである。
【０００７】
請求項２では請求項１記載の発明による吐水装置において、前記切替部材はボタンをプッシュ操作するごとに湯水が吐水される流路を第１通水孔又は第２通水孔の何れかに交互に切替え、ボタンを回転させることで各通水孔から吐水される湯水の流量が調節されるようにしたものである。
【発明の効果】
【０００８】
請求項１記載の発明による吐水装置では、ボタンのプッシュ操作で吐水される湯水の吐水形態を交互に切替えることができ、さらに湯水の流量調節をこのボタンの操作により行なうことができ、単一のボタンで湯水の吐水形態の切替えと流量調節とを行なえるため、従来の吐水装置と比較して操作性を著しく向上させることができる。また、吐水装置のボタンの操作で流量調節を行ない、水栓の操作レバーの操作により止水状態とした後に再び操作レバーを吐水方向へ操作すると、操作レバーを全開位置まで操作をしても止水前と同一の流量が吐水されるので、吐水操作を行なうたびに使用に適した流量に調節する手間を省くことができる。
【０００９】
請求項２記載の発明による吐水装置では、吐水流路の切替えと吐水流量の調節とはボタンによる異なる操作により行なうため、湯水の吐水時の誤操作を防止することができる。
【発明を実施するための最良の形態】
【００１０】
以下、本発明を具体化した実施例を図に基づいて詳細に説明する。
【実施例】
【００１１】
図１に示すように、本発明の吐水装置１０を備えた水栓２は、例えばキッチンのカウンター１の上部に装着され、その胴体部３の上端には操作レバー４が取付けられている。そして、この操作レバー４を垂直軸線の周りで左右方向に回動操作することにより、吐水される湯水の混合比が変更されて温度が調節される。また、操作レバー４を水平軸線の周りで上下方向に回動操作することにより、吐水される湯水の流路開閉及び流量調節が行なわれるようになっている。
【００１２】
前記水栓２の胴体部３先端には本発明の吐水装置１０が取付けられ、図２乃至図５に示すように、吐水装置１０はその本体１１の下部には吐水口１２が突設されるとともに、先端前面にはプッシュ操作と回転操作とが可能なボタン１３が設けられている。そして、このボタン１３をプッシュ操作するごとに、吐水口１２から吐水される湯水が第１通水孔１４からの吐水と第２通水孔１５からの吐水とに交互に切替えられ、ボタン１３を回転させることで、各通水孔１４，１５から吐水される湯水の吐水流量を調節できるようにしている。
【００１３】
次に、前記吐水装置１０の構成について詳細に説明する。
図２乃至図５に示すように、吐水装置１０は略円筒形に形成された本体１１の外周にカバー１６が嵌着されるとともに、本体１１の下部には前記吐水口１２が突設されている。本体１１は内部に湯水が通過する通水路１７が形成され、この通水路１７の基端には接続部材１８が装着されており、この接続部材１８にはホース１９が接続され、ホース１９の他端は前記水栓２の図示しない湯水混合機構に接続されている。そして、水栓２の湯水混合機構にて調節された所定温度の湯水が、このホース１９の内部に形成された流路１９ａを通過して本体１１の通水路１７に供給されるようになっている。また、吐水装置１０はホース１９と共に水栓２の胴体部３から引き出すことができるようになっている。
【００１４】
吐水装置１０の本体１１は、ホース１９が接続される基端からボタン１３が取付けられる先端に向けて軸方向に前記通水路１７が形成され、この通水路１７に切替部材Ａが設けられ、切替部材Ａにより吐水口１２から吐水される湯水の吐水形態が、第１通水孔１４からの吐水と第２通水孔１５からの吐水とに交互に切替えられるようになっている。切換部材Ａは操作ロッド２０と仕切板２１とを備え、操作ロッド２０は本体１１の略中央に装着された仕切板２１の挿通孔２１ａ、及び本体１１の先端に装着された蓋２２の挿通孔２２ａを前後へ移動可能に挿通支持され、その先端には前記ボタン１３が取付けられている。蓋２２の先端には保持機構２３が装着され、この保持機構２３と、前記接続部材１８と切替部材Ａとの間に収容されたスプリング２４とにより、ボタン１３を本体１１に向けてプッシュ操作するごとに、ボタン１３及び操作ロッド２０は本体１１に対し、露出位置又は引込位置に保持されるようにしている。
【００１５】
図６に示すように、前記操作ロッド２０はその外周面に第１通水溝２０ａと第２通水溝２０ｂとが形成されている。この通水溝２０ａ，２０ｂは操作ロッド２０の軸方向に沿って横長に形成され、前記蓋２２と通水溝２０ａ，２０ｂとの間にはパッキン２５が装着されている。操作ロッド２０において、通水溝２０ａ，２０ｂの外周面には前記仕切板２１が装着され、この仕切板２１は外周面に雄ねじ部２１ｂが形成され、この雄ねじ部２１ｂが本体１１の通水路１７内周面に形成された雌ねじ部１１ａに螺着して固定されている。仕切板２１は略円盤型で、その軸方向には略円弧状の通水孔２１ｃが複数個、本実施例では２個が貫通して形成されている。また、前記操作ロッド２０の基端にはこの仕切板２１と向かい合うようにして流量調節部材Ｂが設けられている。
【００１６】
前記流量調節部材Ｂは操作ロッド２０の基端でその外周面に設けられ、固定板２６と可動板２７とを備えている。固定板２６は略円盤型で、その外周面に突起２６ａが形成され、この突起２６ａが本体１１の通水路１７に形成された溝１７ａに係合することで回転不能に配置されている。また、図６に示すように、固定板２６は可動板２７と向かい合う摺接面に前記ホース１９の流路１９ａと連通する第１入口孔２６ｂと第２入口孔２６ｃとが穿設されている。前記可動板２７は固定板２６と略同一形状の略円盤型で、操作ロッド２０の基端外周面に一体に形成されており、固定板２６と向かい合う摺接面に固定板２６の入口孔２６ｂ，２６ｃと連通する第１出口孔２７ａと第２出口孔２７ｂとが穿設されている。
【００１７】
吐水装置１０の通水路１７は前記操作ロッド２０と仕切板２１とにより、第１吐水室２８と第２吐水室２９とに仕切られており、通水路１７と第１吐水室２８とは固定板２６の入口孔２６ｂ，２６ｃ、可動板２７の出口孔２７ａ，２７ｂ及び操作ロッド２０の通水溝２０ａ，２０ｂを介して連通し、通水路１７と第２吐水室２９とは、固定板２６の入口孔２６ｂ，２６ｃ、可動板２７の出口孔２７ａ，２７ｂ及び仕切板２１の各通水孔２１ｃを介して連通する。
【００１８】
前記吐水口１２はその底面に装着された散水板３０に、直流孔が穿設された第１通水孔１４とシャワー孔が多数穿設された第２通水孔１５とが形成され、第１通水孔１４は散水板３０の中央部に穿設され、第２通水孔１５は第１通水孔１４の外周側に環状に穿設されている。なお、本実施例では第１通水孔を直流孔とし、第２通水孔をシャワー孔としているが、通水孔は他の吐水形態により吐水される孔形状としてもよく、例えばマッサージ孔、ミスト孔、泡沫孔としてもよい。
【００１９】
上記の構成において、吐水装置１０の切替部材Ａは図２及び図７に示すように、可動板２７の摺接面が固定板２６の第１入口孔２６ｂを閉塞し、固定板２６の他方の第２入口孔２６ｃと可動板２７の第２出口孔２７ｂとが連通した状態では、通水路１７と操作ロッド２０の第１通水溝２０ａとは連通しておらず、通水路１７と操作ロッド２０の第２通水溝２０ｂとのみが連通し、吐水口１２の第１通水孔１４から吐水される湯水は全開とはならず、第１通水孔１４から直流状に吐水される湯水の流量を少量とすることができる。なお、この場合、仕切板２１の両通水孔２１ｃは可動板２７の摺接面により閉鎖されているため、通水路１７から第２吐水室２９及び第２通水孔１５へは湯水は供給されない。
【００２０】
次に操作ロッド２０と連繋したボタン１３を回転方向に操作すると、図３及び図８に示すように可動板２７が回転し、固定板２６の第１入口孔２６ｂと可動板２７の第１出口孔２７ａ、及び固定板２６の第２入口孔２６ｃと可動板２７の第２出口孔２７ｂがそれぞれ連通した状態となり、図２と比較してさらに可動板２７の第１出口孔２７ａ及び操作ロッド２０の第１通水溝２０ａを湯水が通過するため、吐水口１２の第１通水孔１４から吐水される湯水が増加して全開となり、第１通水孔１４から直流状に吐水される湯水の流量を全開とすることができる。なお、図２に示す少量吐水の状態と図３に示す全開吐水の状態との間でボタン１３の位置をさらに調節することにより、吐水口１２から吐水される湯水の流量をさらに調節することができる。上記のように吐水装置１０のボタン１３の操作で流量調節を行ない、水栓２の操作レバー４の操作により止水状態とした後に再び操作レバー４を吐水方向へ操作すると、操作レバー４を全開位置まで操作をしても止水前と同一の流量が吐水されるので、吐水操作を行なうたびに使用に適した流量に調節する手間を省くことができる。
【００２１】
そして、ボタン１３のプッシュ操作により操作ロッド２０が図３から図４のように移動すると、操作ロッド２０に設けられた可動板２７は図面中左方向へ移動するため仕切板２１から離れ、通水路１７と第２吐水室２９とが仕切板２１の各通水孔２１ｃにより連通し、第２通水孔１５からシャワー状の湯水が全開吐水される。また、操作ロッド２０の外周面に装着されているパッキン２５が仕切板２１の内周面に密着し、操作ロッド２０の各通水溝２０ａ，２０ｂから第１吐水室２８への通水路がこのパッキン２５により遮断されるため、第１通水孔１４からは湯水は供給されない。
【００２２】
次に図４の状態からボタン１３を回転方向に操作して操作ロッド２０に設けられた可動板２７が回転すると、図５に示すようにこの可動板２７の摺接面が固定板２６の第１入口孔２６ｂを閉塞し、固定板２６の第２入口孔２６ｃと可動板２７の第２出口孔２７ｂとが連通した状態となる。この状態では吐水口１２の第２通水孔１５から吐水される湯水は全開とはならず、第２通水孔１５からシャワー状に吐水される湯水の流量を少量とすることができる。
【００２３】
以上のように本発明による吐水装置では、ボタンのプッシュ操作で吐水される湯水の吐水形態を交互に切替えることができ、さらに湯水の流量調節をこのボタンの操作により行なうことができ、単一のボタンで湯水の吐水形態の切替えと流量調節とを行なえるため、従来の吐水装置と比較して操作性を著しく向上させることができる。また、吐水装置のボタンの操作で流量調節を行ない、水栓の操作レバーの操作により止水状態とした後に再び操作レバーを吐水方向へ操作すると、操作レバーを全開位置まで操作をしても止水前と同一の流量が吐水されるので、吐水操作を行なうたびに使用に適した流量に調節する手間を省くことができる。
【図面の簡単な説明】
【００２４】
【図１】実施形態の吐水装置が取付けられた水栓を示す側面図。
【図２】吐水装置の第１通水孔から少量吐水する状態を示す拡大縦断面図。
【図３】吐水装置の第１通水孔から大量吐水する状態を示す拡大縦断面図。
【図４】吐水装置の第２通水孔から大量吐水する状態を示す拡大縦断面図。
【図５】吐水装置の第２通水孔から小量吐水する状態を示す拡大縦断面図。
【図６】切替部材の拡大斜視図。
【図７】流量調節部材の少量吐水時の説明図。
【図８】流量調節部材の大量吐水時の説明図。
【符号の説明】
【００２５】
１０  吐水装置
１３  ボタン
１４  第１通水孔
１５  第２通水孔
Ａ    切替部材
Ｂ    流量調節部材
【図１】
2008274634.tif 000003
【図２】
2008274634.tif 000004
【図３】
2008274634.tif 000005
【図４】
2008274634.tif 000006
【図５】
2008274634.tif 000007
【図６】
2008274634.tif 000008
【図７】
2008274634.tif 000009
【図８】
2008274634.tif 000010